【手続補正書】
【提出日】平成24年4月6日(2012.4.6)
【手続補正１】
【補正対象書類名】明細書
【補正対象項目名】発明の名称
【補正方法】変更
【補正の内容】
【発明の名称】画像表示装置及び方法並びにプログラム
【手続補正２】
【補正対象書類名】明細書
【補正対象項目名】０００１
【補正方法】変更
【補正の内容】
【０００１】
本発明は、入力されたＲＡＷデータ等を表示画像に変換して表示することが可能な画像表示装置及び方法並びにプログラムに関する。
【手続補正３】
【補正対象書類名】明細書
【補正対象項目名】０００９
【補正方法】変更
【補正の内容】
【０００９】
そこで本発明は、変換後のｂｉｔ深度が小さい画像を表示する際に、変換前のｂｉｔ深度が大きい画像の飽和有無と飽和部分の位置を判別可能に表示することができる画像表示装置及び方法並びにプログラムを提供することを目的とする。
【手続補正４】
【補正対象書類名】明細書
【補正対象項目名】００１０
【補正方法】変更
【補正の内容】
【００１０】
上記目的を達成するために、本発明の画像表示装置は、入力画像を取得する取得手段と、前記入力画像をモニタに表示できないとき、前記取得された入力画像を、ｂｉｔ深度が前記入力画像よりも小さい出力画像に変換する変換手段と、前記変換された出力画像を前記モニタに表示する表示手段と、前記入力画像の画素の輝度が所定の範囲にあるか否かを判定する入力画像判定手段とを備え、前記表示手段は、前記入力画像判定手段により前記輝度が所定の範囲にないと判定された前記入力画像の画素に対応する前記出力画像の位置を識別可能に表示することを特徴とする。
上記目的を達成するために、本発明の画像表示方法は、入力画像を取得する取得工程と、前記入力画像をモニタに表示できないとき、前記取得された入力画像を、ｂｉｔ深度が前記入力画像より小さい出力画像に変換する変換工程と、前記変換された出力画像を前記モニタに表示する表示工程と、前記入力画像の画素の輝度が所定の範囲にあるか否かを判定する判定工程とを備え、前記表示工程では、前記輝度が所定の範囲にないと判定された前記入力画像の画素に対応する前記出力画像の位置を識別可能に表示することを特徴とする。
上記目的を達成するために、本発明のプログラムは、コンピュータに、入力画像を取得する取得工程と、前記入力画像をモニタに表示できないとき、前記取得された入力画像を、ｂｉｔ深度が前記入力画像より小さい出力画像に変換する変換工程と、前記変換された出力画像を前記モニタに表示する表示工程と、前記入力画像の画素の輝度が所定の範囲にあるか否かを判定する判定工程とを備え、前記表示工程では、前記輝度が所定の範囲にないと判定された前記入力画像の画素に対応する前記出力画像の位置を識別可能に表示することを実行させることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００６１
【補正方法】変更
【補正の内容】
【００６１】
１２ｂｉｔ画像（例えばＲＡＷ画像）は８ｂｉｔ画像に比べて、より細かい階調まで表現できる。そこで、撮像装置４００の機能として、１２ｂｉｔ画像を記録媒体Ｉ／Ｆ１１３を介して記録媒体に記録することができれば、その機能を用いてもよい。すなわち、ＪＰＥＧ等の８ｂｉｔ画像のみを記録するモードのときに、８ｂｉｔ画像が飽和していると判定された場合、図９（ｂ）のメッセージ画面１００２を表示し、１２ｂｉｔ画像を記録するモードに変更するよう促してもよい（第１のガイダンス手段）。
【手続補正９】
【補正対象書類名】特許請求の範囲
【補正対象項目名】全文
【補正方法】変更
【補正の内容】
【特許請求の範囲】
【請求項１】
入力画像を取得する取得手段と、
前記入力画像をモニタに表示できないとき、前記取得された入力画像を、ｂｉｔ深度が前記入力画像よりも小さい出力画像に変換する変換手段と、
前記変換された出力画像を前記モニタに表示する表示手段と、
前記入力画像の画素の輝度が所定の範囲にあるか否かを判定する入力画像判定手段とを備え、
前記表示手段は、前記入力画像判定手段により前記輝度が所定の範囲にないと判定された前記入力画像の画素に対応する前記出力画像の位置を識別可能に表示することを特徴とする画像表示装置。
【請求項２】
前記出力画像の画素の輝度が所定の範囲にあるか否かを判定する出力画像判定手段をさらに備え、
前記表示手段は、前記入力画像判定手段により前記輝度が所定の範囲にないと判定された前記入力画像の画素に対応する前記出力画像の位置と、前記出力画像判定手段により前記輝度が所定の範囲にないと判定された前記出力画像の画素の位置とを、さらに識別可能に表示することを特徴とする請求項１に記載の画像表示装置。
【請求項３】
前記取得手段は、撮像系によって取り込まれた入力画像を取得し、
前記入力画像判定手段は、前記撮像系が入力画像を取り込んでいるとき、所定の操作を受け付けると、前記判定の処理を実行することを特徴とする請求項１または２に記載の画像表示装置。
【請求項４】
前記入力画像判定手段により前記輝度が所定の範囲にないと判定された画素に関する情報を、前記出力画像に付加して記録する記録手段をさらに備えることを特徴とする請求項１乃至３のいずれか１項に記載の画像表示装置。
【請求項５】
前記表示手段は、前記入力画像判定手段により前記輝度が所定の範囲にないと判定された前記入力画像の画素に対応する前記出力画像の位置を所定の色に変換して表示することを特徴とする請求項１乃至４のいずれか１項に記載の画像表示装置。
【請求項６】
前記表示手段は、前記入力画像判定手段により前記輝度が所定の範囲にないと判定された前記入力画像の画素に対応する前記出力画像の位置を線で囲んで表示することを特徴とする請求項１乃至５のいずれか１項に記載の画像表示装置。
【請求項７】
前記表示手段は、前記入力画像判定手段により前記輝度が所定の範囲にないと判定された前記入力画像の画素に対応する前記出力画像の位置を点滅させて表示することを特徴とする請求項１乃至６のいずれか１項に記載の画像表示装置。
【請求項８】
前記入力画像の全画素に対する、前記入力画像判定手段により前記輝度が所定の範囲にないと判定された画素の割合を算出する算出手段をさらに備え、
前記表示手段は、さらに、前記算出手段により算出された割合を表示することを特徴とする請求項１乃至７のいずれか１項に記載の画像表示装置。
【請求項９】
前記入力画像判定手段により前記輝度が所定の範囲にないと判定された画素の輝度を調整する調整手段をさらに備えることを特徴とする請求項１乃至８のいずれか１項に記載の画像表示装置。
【請求項１０】
前記入力画像のｂｉｔ深度を所定の閾値と比較する比較手段をさらに備え、
前記変換手段は、前記比較の結果に応じて、前記変換の処理を行うことを特徴とする請求項１乃至９のいずれか１項に記載の画像表示装置。
【請求項１１】
入力画像を取得する取得工程と、
前記入力画像をモニタに表示できないとき、前記取得された入力画像を、ｂｉｔ深度が前記入力画像より小さい出力画像に変換する変換工程と、
前記変換された出力画像を前記モニタに表示する表示工程と、
前記入力画像の画素の輝度が所定の範囲にあるか否かを判定する判定工程とを備え、
前記表示工程では、前記輝度が所定の範囲にないと判定された前記入力画像の画素に対応する前記出力画像の位置を識別可能に表示することを特徴とする画像表示方法。
【請求項１２】
コンピュータに、
入力画像を取得する取得工程と、
前記入力画像をモニタに表示できないとき、前記取得された入力画像を、ｂｉｔ深度が前記入力画像より小さい出力画像に変換する変換工程と、
前記変換された出力画像を前記モニタに表示する表示工程と、
前記入力画像の画素の輝度が所定の範囲にあるか否かを判定する判定工程とを備え、
前記表示工程では、前記輝度が所定の範囲にないと判定された前記入力画像の画素に対応する前記出力画像の位置を識別可能に表示することを実行させるためのプログラム。